(57)【要約】【課題】クロージャにおけるドロップ光ケーブルを設置また増設する際に、ドロップ光ケーブルの支持線端部の処理を簡単かつ短時間に行える。【解決手段】ドロップ支持線の端部収納装置１は、一側に取付部３と係合する係合部５を有し、他側にクロージャ４０の接続作業側からドロップ支持線を挿入可能なドロップ支持線挿入孔６を４つ有する板材であり、板面を縦軸中心に裏返した場合、係合部５及びドロップ支持線挿入孔６が対称に配置される基部２と、基部２をクロージャ４０の側方においてクロージャ補助棒４１に固定する取付部３と、基部表面２ａの裏側において、挿入されるドロップ支持線の先端部分が曲げられることで発生する曲げ力によってドロップ支持線の抜け防止となる空間１５を有する収納部４とで、構成される。【選択図】  図１
0003115358.tif 000002
【実用新案登録請求の範囲】
【請求項１】
一側に後記取付部と係合する係合部を有し、他側にクロージャの接続作業側からドロップ支持線を挿入可能なドロップ支持線挿入孔を少なくとも１つ有する板材であり、板面を縦軸中心に裏返した場合、前記係合部及びドロップ支持線挿入孔が対称に配置される基部と、
前記基部を前記クロージャの側方において固定する取付部と、
前記ドロップ支持線が挿入される面の裏側の基部裏面において、挿入される前記ドロップ支持線の先端部分が曲げられることで発生する曲げ力によって、前記ドロップ支持線の抜け防止となる空間を有する収納部とで、
構成されることを特徴とするドロップ支持線の端部収納装置。
【請求項２】
上記基部は、上記ドロップ支持線挿入孔が、横長の長方形であり、縦方向一列に４つ配設され、上記係合部が取付雌ねじ部を角部分に有し、止挿通孔が前記ドロップ支持線挿入孔の近傍に設けられ、長孔がドロップ支持線の先端を確認できる位置の縦方向に設けられ、
上記取付部は、平面形状が略直角かぎ状の腕部と、前記基部の厚さ部分に接し、前記腕部の両端部分に設けられる係止部と、前記腕部の中心位置に設けられる取付孔と、クロージャ補助棒の断面形状に対応する形状に曲げられ、前記腕部の中間部分に設けられる棒受部と、前記取付孔に挿入し、前記取付雌ねじ部に係合して前記基部を前記クロージャ補助棒に固定させる取付ボルトとで構成され、
上記収納部は、四隅を切り取った略長方形の周囲を折り曲げて内部に上記空間を有し、前記空間深さが上記ドロップ支持線の曲げ力を発生可能な深さに設けられ、前記空間縦長が前記基部の縦長に対応し、前記空間横長が前記ドロップ支持線挿入孔及び長孔を覆い、略中心に止雌ねじ部を設け、止ボルトが前記止挿通孔から挿入されて前記止雌ねじ部に係合し、上記基部裏面に前記空間が形成される、
ことを特徴とする請求項１に記載されるドロップ支持線の端部収納装置。
【請求項３】
クロージャの接続作業側からドロップ支持線を挿入可能なドロップ支持線挿入孔を少なくとも１つ有し、クロージャの側方に配設される基部と、
前記基部をクロージャの側方において固定する取付部と、
前記ドロップ支持線が挿入される面の裏側の基部裏面において、挿入される前記ドロップ支持線の先端部分が曲げられて発生する曲げ力によって、前記ドロップ支持線の抜け防止となる空間を有する収納部とで、
構成されることを特徴とするドロップ支持線の端部収納装置。
【請求項４】
上記収納部が、上記基部裏面において、挟持板によって上記ドロップ支持線の先端部分を挟持固定する、構成であることを特徴とする請求項１又は３に記載されるドロップ支持線の端部収納装置。
【請求項５】
上記取付部が、クロージャ又は電柱間の支持線に対して取り付けられること、を特徴とする請求項１又は３に記載されるドロップ支持線の端部収納装置。
【請求項６】
上記収納部が、弾性材の箱型に形成され、上記基部の上下辺とスライド係合する係合溝を口端に有し、上記基部裏面において弾性力によって取り付けられること、を特徴とする請求項２に記載されるドロップ支持線の端部収納装置。
【考案の詳細な説明】
【技術分野】
【０００１】
本考案は、電柱間に架設された光ファイバケーブル（以下、光ケーブルという。）のクロージャ（接続端子函）において、このクロージャと各建物とを結ぶ引込み線としてのドロップ光ファイバケーブル（以下、ドロップ光ケーブルという。）のドロップ支持線の端部を収納するドロップ支持線の端部収納装置に関する。
【背景技術】
【０００２】
近年、光ケーブル網が国内に広く張り巡らされている。電柱間に架設された光ケーブルの場合、ビル又は家屋などの個別ユーザに対して光ファイバ心線を引き落とすには、電柱間の幹線系光ケーブルの適所に設けられたクロージャから、引込み線であるドロップ光ケーブルを分岐して個別ユーザに接続することによって行われる。ここで使用されるドロップ光ケーブルは、屋外配線できるように、平形の単心光ファイバケーブル（例えば、標準情報  ＴＲ  Ｃ  ００１７）に対して、外被付きのドロップ支持線（第２抗張力体）を一体的に並設したものである（例えば、特開２００３−１４００１１号の図１参照）。
【０００３】
そして、引き込み配線する場合、図７（イ），（ロ）に示すように、ドロップ光ケーブル３０の端部を引き裂き、ドロップ支持線３１と光エレメン部３２に分離し、ドロップ支持線３１端部の一方をユーザ側屋外に固定し、光エレメント部３２をユーザ側屋内に引き込む。ドロップ支持線３１端部の他方は、電柱３３又は電柱間支持線３４における引留具等３５によって、ユーザ家屋との張架を維持しつつ、クロージャ４０に集められる。ユーザ家屋側のドロップ支持線３１端部は、ドロップ光ケーブル３０が１本であり簡単に固定される。しかし、クロージャ４０側では、複数本のドロップ光ケーブル３０が集まり、その端部処理はドロップ支持線３１を切断し、ドロップ支持線３１だけ又は光エレメント部３２と共にしばりひも等３６によって束ねられている。また他の例として、クロージャ４０のかん体に棒体（ドロップ支持線把持具）４２を設け、棒体４２の先端にまとめて固定している（非特許文献１参照）。なお、図中符号４１はクロージャ４０を支持線３４に設置するためのクロージャ補助棒であり、３２ａが光ファイバ心線であり、３２ｂがテンションメンバ（第１抗張力体）である。
【非特許文献１】西村憲一，白川英俊編著「改訂３版やさしい光ファイバ通信」社団法人電気通信協会、平成１１年５月１７日、１７７頁
【考案の開示】
【考案が解決しようとする課題】
【０００４】
上述した従来のドロップ光ケーブルのドロップ支持線端部の処理では、クロージャ４０からの引き落とし工事が一回で完了することはなく、時期を変えてドロップ光ケーブル３０が増設される場合が一般的であり、その都度しばりひも等３６を外して、再度しばり直すこととなり、工事が煩雑となりかつ短時間で行えない。
【０００５】
本考案は上述した問題に鑑みてなされたもので、その目的とするところは、クロージャにおけるドロップ光ケーブルを設置また増設する際に、ドロップ光ケーブルのドロップ支持線端部の処理を簡単かつ短時間に行える、ドロップ支持線の端部収納装置を提供することである。
【課題を解決するための手段】
【０００６】
上記目的を達成するため、請求項１に係るドロップ支持線の端部収納装置は、
一側に後記取付部と係合する係合部を有し、他側にクロージャの接続作業側からドロップ支持線を挿入可能なドロップ支持線挿入孔を少なくとも１つ有する板材であり、板面を縦軸中心に裏返した場合、前記係合部及びドロップ支持線挿入孔が対称に配置される基部と、
前記基部を前記クロージャの側方において固定する取付部と、
前記ドロップ支持線が挿入される面の裏側の基部裏面において、挿入される前記ドロップ支持線の先端部分が曲げられることで発生する曲げ力によって、前記ドロップ支持線の抜け防止となる空間を有する収納部とで、
構成される。
【０００７】
また、請求項２に係るドロップ支持線の端部収納装置は、上記請求項１に対して、
上記基部は、上記ドロップ支持線挿入孔が、横長の長方形であり、縦方向一列に４つ配設され、上記係合部が取付雌ねじ部を角部分に有し、止挿通孔が前記ドロップ支持線挿入孔の近傍に設けられ、長孔がドロップ支持線の先端を確認できる位置の縦方向に設けられ、
上記取付部は、平面形状が略直角かぎ状の腕部と、前記基部の厚さ部分に接し、前記腕部の両端部分に設けられる係止部と、前記腕部の中心位置に設けられる取付孔と、クロージャ補助棒の断面形状に対応する形状に曲げられ、前記腕部の中間部分に設けられる棒受部と、前記取付孔に挿入し、前記取付雌ねじ部に係合して前記基部を前記クロージャ補助棒に固定させる取付ボルトとで構成され、
上記収納部は、四隅を切り取った略長方形の周囲を折り曲げて内部に上記空間を有し、前記空間深さが上記ドロップ支持線の曲げ力を発生可能な深さに設けられ、前記空間縦長が前記基部の縦長に対応し、前記空間横長が前記ドロップ支持線挿入孔及び長孔を覆い、略中心に止雌ねじ部を設け、止ボルトが前記止挿通孔から挿入されて前記止雌ねじ部に係合し、上記基部裏面に前記空間が形成される。
【０００８】
また、請求項３に係るドロップ支持線の端部収納装置は、
クロージャの接続作業側からドロップ支持線を挿入可能なドロップ支持線挿入孔を少なくとも１つ有し、クロージャの側方に配設される基部と、
前記基部をクロージャの側方において固定する取付部と、
前記ドロップ支持線が挿入される面の裏側の基部裏面において、挿入される前記ドロップ支持線の先端部分が曲げられて発生する曲げ力によって、前記ドロップ支持線の抜け防止となる空間を有する収納部とで、
構成される。
【０００９】
また、請求項４に係るドロップ支持線の端部収納装置は、上記請求項１又は３に対して、
上記収納部が、上記基部裏面において、挟持板によって上記ドロップ支持線の先端部分を挟持固定する、構成である。
【００１０】
また、請求項５に係るドロップ支持線の端部収納装置は、上記請求項１又は３に対して、
上記取付部が、クロージャ又は電柱間の支持線に対して取り付けられる。
【００１１】
そして、請求項６に係るドロップ支持線の端部収納装置は、上記請求項２に対して、
上記収納部が、弾性材の箱型に形成され、上記基部の上下辺とスライド係合する係合溝を口端に有し、上記基部裏面において弾性力によって取り付けられる。
【考案の効果】
【００１２】
上述の請求項１乃至６に係るドロップ支持線の端部収納装置であれば、クロージャにおけるドロップ光ケーブルを設置また増設する際に、ドロップ支持線端部の処理を簡単かつ短時間に行える。また、請求項１，２のドロップ支持線の端部収納装置は、同じ基部がクロージャの左右の両側方に設置可能であり、特に請求項２では、一つのドロップ支持線の端部収納装置によって左右に設置でき、止ボルトの緩め調製によってドロップ支持線を確実かつ容易に収納できる。収納部が止ボルトによって着脱自在であるため、最適の空間大きさを選択できる。また、請求項４では確実な張架能力が確保され、請求項５ではクロージャの配置環境が特殊な場合でも、基部を確実に配置できる。そして、請求項６では、装置の構成部材数を少なくすることができる。
【考案を実施するための最良の形態】
【００１３】
以下に、請求項２に対応する第１実施形態のドロップ支持線の端部収納装置に関し、図面を参照して説明する。図１及び図２に示すように、第１実施形態のドロップ支持線の端部収納装置１は、基部２と取付部３及び収納部４とで構成される。
【００１４】
基部２は、図１、図２及び図３（イ）に示すように、略長方形の板材であり、一側に取付部３と係合する係合部５を有し、他側にクロージャ４０の接続作業側からドロップ支持線３１を挿入可能なドロップ支持線挿入孔６を有する。また基部２は、図３（イ）、（ロ）に示すように、板面を縦軸中心に裏返した場合、係合部５及びドロップ支持線挿入孔６が対称に配置される。すなわち、図１及び図３（イ）に示す基部２の表面状態が、接続作業者から見てクロージャ４０の右側方に配設される場合である。そして、この表面状態の基部２を図３（ロ）に示す基部２の裏面状態へ変えるだけで、ドロップ支持線挿入孔６がクロージャ４０の左側方からドロップ支持線３１が挿入される場合に対応できるので、同じ基部２でありながらクロージャ４０の左側方にも配設可能となる。ドロップ支持線挿入孔６は、横長の長方形であり、縦方向一列に４つ配設される。ドロップ支持線挿入孔６の大きさは、２本のドロップ支持線３１が挿入できる大きさであり、１つの基部２によって8本対応できる。また、係合部５は取付ボルト１４が係合する取付雌ねじ部７を角部分に有する。そして、止ボルト１７を通す止挿通孔８がドロップ支持線挿入孔６近傍に設けられ、長孔９がドロップ支持線３１の先端を確認できる位置の縦方向に設けられる。なお、基部２の使用材料は鋼材を用い、必要な場合に強度面から熱処理、耐候性から表面処理等を適宜施し、強度面等の条件を満たせば合成樹脂材を使用することも可能である。後述する各構成部材の使用材料についても同様であり、説明を省略する。
【００１５】
取付部３は、クロージャ４０の右側方において基部２を固定するものであり、図１及び図２に示すように、腕部１０と取付孔１１と係止部１２と棒受部１３及び取付ボルト１４によって構成される。腕部１０は、平面形状が略直角かぎ状であり、中心位置に取付孔１１が設けられる。係止部１２は、腕部１０の両端部分に基部２の厚さ部分に接するよう曲げて設けられる。また、棒受部１３は、腕部１０の中間部分にクロージャ補助棒４１の断面円形状４１ａに対応させて曲げ形成される。取付ボルト１４は、基部２の取付雌ねじ部７に係合し、取付孔１１に挿入して基部２と棒受部１３とでクロージャ補助棒４１を挟持固定し、この場合クロージャ４０の右側方に配置される。本実施形態に使用している取付ボルト１４及び後述する止ボルト１７は、六角穴付きボルト（ＪＩＳ  Ｂ  １１７６）であり、これに限定されることなく各種ボルトを選択使用できる。
【００１６】
収納部４は、図２及び図４に示すように、四隅を切り取った略長方形板材の周囲４ａを折り曲げ、内部に空間１５を有するように形成される。この空間１５は、図５に示すように、ドロップ支持線３１の挿入面である基部表面２ａの裏側の基部裏面２ｂにおいて形成される際、挿入されるドロップ支持線３１の先端部分が空間15内において曲げられて曲げ力を発生できる容量を確保している。ここで発生した曲げ力の強さは、ドロップ支持線３１がドロップ支持線挿入孔６から抜けるのを防止できる力を確保している。このため、空間深さDは、ドロップ支持線３１の各種素材剛性に対応し、必要な曲げ力を発生可能な深さに選択される。また、ドロップ支持線３１の先端部分が挿入される際に効果的に曲げられるように、空間１５はドロップ支持線挿入孔６の基部裏面２ｂに限られている。さらに、空間縦長Ｈは、基部２の縦長に対応し、空間横長Ｗはドロップ支持線挿入孔６及び長孔９を覆う大きさとなる。そして、基部２への固定手段は止ボルト１７を用い、略中心に設けた止雌ねじ部１６に対して、止挿通孔８から挿入された止ボルト１７が係合し、基部裏面２ｂに取付部４を固定して空間１５が形成される。止ボルト１７を使った固定手段であるため、異なる空間深さＤの収納部４を複数用意し、剛性の異なる各種ドロップ支持線３１に対応して選択使用することもできる。
【００１７】
上述した第１実施形態のドロップ支持線の端部収納装置１の取付及び使用について説明する。図６（イ）に示すように、接続作業者から見てクロージャ４０の右側方に設置する場合、取付部３の取付ボルト１４を緩めて、クロージャ補助棒４１の右側の直角部分に取り付け固定するだけで、端部収納装置１を簡単に設置できる。なお、クロージャ４０の左側方に設置する場合は、図３（ロ）に示す基部２の表裏を返し、取付部３は９０度回転させて、クロージャ補助棒４１の左側直角部分に対して、同様に簡単に取り付け固定できる。次に、ドロップ光ケーブル３０をクロージャ側へ接続する場合、図６（ロ）に示すように、ドロップ光ケーブル３０の先端部分を分離したドロップ支持線３１をドロップ支持線挿入孔６から挿入し、長孔９にて位置確認を行うだけでドロップ支持線３１端部の収納が終了する。挿入されたドロップ支持線３１は、空間１５内における曲げ力によって抜けることはなく、十分に張架される。増設する際も既設のドロップ支持線３１はそのまま何ら手を加える必要も無く、追加するドロップ支持線３１を同様にドロップ支持線挿入孔６へ挿入するだけであり、簡単かつ短時間に収納が終了する。また、止ボルト１７を緩めることによって、単純にドロップ支持線３１を挿入する場合に比べて、空間１５内の適正な位置決めができ、次に締付けて十分な曲げ力が得ることができる。このように、止ボルト１７によってドロップ支持線３１挿入時の最適状態の緩み調製をすることができる。なお、図中符号３７は光ファイバケーブルである。
【００１８】
次に、請求項２の上位概念である請求項１に対応する他の実施形態について説明する。この実施形態では、上記第１実施形態の基部２に対して、ドロップ支持線挿入孔６の数を最低１つ以上の任意数とし、形状も長方形に限定せず各種形状を採用する場合である。また、取付部３の構成も略かぎ状の腕部１０に限定せず、各種形状を採用し、取り付け先がクロージャ補助棒４１の直角部分に限定されずに、任意箇所に対応できる構成とする。そして、収納部４は、第１実施形態の板材の周囲４ａを折り曲げ、止ボルト１７にて固定して形成した空間１５に限定されずに、他の構成が採用できる。図示を省略するが、例えば、止ボルト１７を使用せず、ピン等のボルト以外の固定手段を用いて固定する場合がある。別の例として、基部２の一部に切れ込みを入れ、折り曲げて空間を形成するなど、空間形成の各種手段が採用できる。
【００１９】
次に、請求項１に対して、各構成を具体化した請求項４に対応する第２実施形態は、ドロップ支持線３１挿入の裏側の基部裏面２ｂにおいて、空間１５内の曲げ力によって抜け防止を図る構成でなく、ドロップ支持線３１の先端部分を挟持し固定する構成である。挟持手段は、図示省略するが、例えば、基部２と挟持板とでボルト止めによって、ドロップ支持線３１を挟持する構成がある。この場合、より確実な張架能力が確保される。
【００２０】
次に、請求項５に対応する第３実施形態は、第１実施形態のようにクロージャ補助棒４１に対して取り付ける構成でなく、取付部３がクロージャ４０又は電柱間の支持線３４に対して取り付け可能とし、基部２をクロージャ４０の側方に配置される構成である。図示省略するが、例えば、取付部３の平面形状等は、基部２が適所に配置されるように、各種形状が適宜選択され、固定手段も既存の各種手段から選択使用される。この第３実施形態であれば、クロージャ４０の配置される環境が特殊な場合でも、基部２をクロージャ４０の側方に確実に配置できる。
【００２１】
そして、請求項６に対応する第４実施形態は、図示省略するが、第１実施形態に対して、収納部４が弾性材の箱型に形成され、止ボルト１７を省く構成である。この箱型は基部２の上下辺とスライド係合する係合溝を口端に有し、ドロップ支持線３１を挿入する面の裏側の基部裏面２ｂに対して収納部４自体の弾性力によって取り付けられる。この実施形態であれば、装置の構成部材数を少なくすることができる。
【００２２】
請求項３に対応する実施形態は、同じ基部２によってクロージャ４０の左右両側に配設できる上述請求項１の実施形態に対して、ひとつの同じ基部を使用する点に限定されず、例えば、右側方への特殊な状態での配設に対応する形状等の基部も含まれる場合である。クロージャに対して特殊な配置状態の場合に確実に対応できる。なお、この実施形態でも、上述第２及び第３実施形態と同様に、上述の各構成を具体化した他の実施形態を採用できる。このため、請求項３の従属項として、請求項４及び５が含まれる。
【産業上の利用可能性】
【００２３】
光ファイバケーブルからドロップ光ファイバケーブルに引き落とす際に使用されるクロージャに対して利用可能である。
【図面の簡単な説明】
【００２４】
【図１】第１実施形態のドロップ支持線端部収納装置の正面図である。
【図２】第１実施形態のドロップ支持線端部収納装置の平面図である。
【図３】第１実施形態の基部の正面図であり、イはクロージャの左側方に配設される場合であり、ロは右側方に配設される場合である。
【図４】第１実施形態の収納部を基部のドロップ支持線挿入面側からみた正面図である。
【図５】第１実施形態の収納部にドロップ支持線を挿入した時の断面状態図である。
【図６】イはクロージャの左側方に配設した状態の概略図であり、ロはドロップ支持線の端部収納装置を拡大した一部断面図である。
【図７】イはドロップ光ファイバケーブルの断面図であり、ロは従来のドロップ光ファイバケーブルの配線及び端部処理の概略図である。
【符号の説明】
【００２５】
１  ドロップ支持線の端部収納装置  ２  基部  ３  取付部  ４  収納部  ５  係合部  ６  ドロップ支持線挿入孔  ７  取付雌ねじ部  ８  止挿通孔  ９  長孔  １０  腕部  １１  取付孔  １２  係止部  １３  棒受部  １４  取付ボルト  １５  空間  １６  止雌ねじ部  １７  止ボルト  ３０  ドロップ光ファイバケーブル  ３１  ドロップ支持線  ３２  エレメント部  ４０  クロージャ  ４１  クロージャ補助棒
【図１】
0003115358.tif 000003
【図２】
0003115358.tif 000004
【図３】
0003115358.tif 000005
【図４】
0003115358.tif 000006
【図５】
0003115358.tif 000007
【図６】
0003115358.tif 000008
【図７】
0003115358.tif 000009